(57)【要約】【課題】ストラップを装着するための構造を備えていながら、その構造によって浸透印の外観上の印象が煩雑になるのを解消でき、しかも、ストラップの装着紐などを簡便に連結できる浸透印を提供する。【解決手段】ケース構造１と、印字ユニット２と、ケース構造１の頂部に着脱可能に組み付けられる連結体４とを備えている。連結体４は、ケース構造１に組まれる軸部３８と、軸部３８の上端周囲に張り出される遮蔽部３９と、ストラップＳを装着するための連結部４１を備えている。連結部４１は、遮蔽部３９の内面ないし軸部３８に設けられて、ケース構造１および遮蔽部３９で遮蔽されている。連結体４の遮蔽部３９の下面側に、ストラップＳをケース構造１の外へ導出するための導出隙間Ｅを軸部３８の全周方向にわたって設ける。【選択図】図１
2009148957.tif 000002
【特許請求の範囲】
【請求項１】
ケース構造（１）と、ケース構造（１）に組み付けられる印字ユニット（２）と、ケース構造（１）の頂部に設けられる連結体（４）とを備えており、
連結体（４）は、ケース構造（１）に組み付けられる軸部（３８）と、軸部（３８）の上端周囲に張り出し形成される遮蔽部（３９）と、ストラップ（Ｓ）を装着するための連結部（４１）を備えており、
連結部（４１）は、遮蔽部（３９）の内面ないし軸部（３８）に設けられて、ケース構造（１）および遮蔽部（３９）で遮蔽されており、
連結体（４）がケース構造（１）に対して着脱可能に組み付けてある浸透印。
【請求項２】
ケース構造（１）の頂部にボウル状の導出部（１９）が凹み形成されており、
連結体（４）の遮蔽部（３９）と前記導出部（１９）との間に、ストラップ（Ｓ）をケース構造（１）の外へ導出する導出隙間（Ｅ）が軸部（３８）の全周方向にわたって設けられており、
連結体（４）をケース構造（１）に組み付けた状態において、前記導出隙間（Ｅ）に臨む連結部（４１）がケース構造（１）と遮蔽部（３９）とで遮蔽されている請求項１記載の浸透印。
【請求項３】
ケース構造（１）が、基部ケース（６）と、基部ケース（６）に対して分離可能に連結される筒状の内ケース（７）と、内ケース（７）の外面を覆う状態で同ケース（７）に装着される筒構造の外ケース（８）とを含み、
連結体（４）の軸部（３８）を内ケース（７）と外ケース（８）に設けた挿通穴（１５・２１）に差し込み装着し、軸部（３８）に設けた係合片（４９）を内ケース（７）に設けた係合部（５０）と係合することにより、連結体（４）が内ケース（７）に固定され、同時に外ケース（８）が連結体（４）で分離不能に固定保持されている請求項１または２記載の浸透印。
【請求項４】
連結体（４）の軸部（３８）と外ケース（８）の挿通穴（２１）との間に、連結体（４）の組み付け状態を保持する係合リブ（４４）と係合凹部（４６）とが設けられ、かつ、互いに係合して連結体（４）および外ケース（８）を同行回転可能に係合する連結突起（４３）と連結溝（４５）とが設けてある請求項３記載の浸透印。
【請求項５】
ケース構造（１）が、基部ケース（６）と、基部ケース（６）に対して分離可能に連結される筒状の内ケース（７）と、内ケース（７）の外面を覆う状態で同ケース（７）に装着される筒構造の外ケース（８）とを含み、
外ケース（８）と内ケース（７）との間に形成される周回状の装填スペース（２２）の内部にシート状の装飾体（２５）が配置されており、
外ケース（８）の全体を透明材で形成することにより、外ケース（８）を介して前記装飾体（２５）を視認できる請求項１から４のいずれかに記載の浸透印。
【請求項６】
装飾体（２５）のイメージデータの一群が、浸透印を供給するメーカーのインターネット上のホームページに公開されており、
ユーザーが前記ホームページに公開されたイメージデータの中から、好みのイメージデータをダウンロードして印刷することにより、ユーザー自身で装飾体（２５）を形成し交換できる請求項５に記載の浸透印。
【発明の詳細な説明】
【技術分野】
【０００１】
本発明は、主にネーム印や確認印として使用される浸透印に関する。
【背景技術】
【０００２】
この種の浸透印において、本体ケースの一部にストラップを取り付けるための装着穴を設けることは特許文献１に公知である。そこでは、本体ケースの上端周面に一対の凹部を形成し、両凹部の間のリブ壁にストラップを連結するための装着穴を貫通状に形成している。このように、本体ケースに装着穴を設けた浸透印によれば、例えば装着穴に固定したストラップを首に吊り掛けておくことにより浸透印を即座に捺印できる。
【０００３】
本発明に係る浸透印の基本形態は、例えば特許文献２に公知である。そこでは、ケース構造と、ケース構造の内部に組み付けられる印字ユニットなどで浸透印を構成している。印字ユニットの下端には、インクを含浸したゴム印字体が配置してある。
【０００４】
本発明に係る浸透印に関して、柄の一部に透明プラスチック材製の指標筒を外嵌装着し、指標筒と柄との間に紙片を配置することが特許文献３に公知である。円筒形の指標筒の外面には、印面の前位置であることを表示するための前方指標が突設してある。先の紙片にはユーザーの名前や所属部署名、あるいは印字内容が表示してあり、したがって、透明の指標筒を介して紙片の表示を視認することにより、ユーザーを特定し、あるいは印字内容を確認することができる。
【０００５】
【特許文献１】意匠登録第１２０１７８８号公報
【特許文献２】特開２００３−５４１００号公報（段落番号００１８〜００２１、図３）
【特許文献３】実公平１−２６４６０号公報（第２頁左欄４４行〜同右欄３行、第３図）
【発明の開示】
【発明が解決しようとする課題】
【０００６】
特許文献１の浸透印においては、装着穴を本体ケースの筒壁外面に設けられたリブ壁に貫通形成する。そのため、ストラップを浸透印に取り付けるか否かにかかわらず、外観上リブ壁およびリブ壁の両側の凹部が目立のを避けられず、浸透印全体の外観上の印象が煩雑になりやすい。装着穴を本体ケースの周面より内側に設けるので、ストラップの装着紐を装着穴に結び付けるのに少なからず手間が掛かる。反面、装着構造が着衣の一部に引っ掛かるのを確実に防止できる。
【０００７】
ネーム印や確認印として使用される浸透印は、工業製品である以上外観形状が同じ形になるのを避けられず、そのため複数個の浸透印の外観からユーザーを即座に特定することは難しい。多くの場合この種の浸透印は、本体ケースの色を異ならせてシリーズ商品化してあるので、色が異なる浸透印を使い分けることでユーザーを識別することはできる。しかし、本体ケースの色の違いは３〜５種程度に過ぎないため、例えば職域において色違い数を越えるユーザーがいる場合には識別できない。色や模様が異なる多種類の浸透印を提供することは不可能ではないが、コストが嵩むのを避けられない。また、色や模様が異なる多種類の浸透印を提供できたとしても、ユーザーによってはメーカーが提供するデザインでは飽き足らず、自分の好みに合致するデザインにして欲しいという要望もある。
【０００８】
本発明の目的は、ストラップを装着するための構造を備えていながら、その構造によって浸透印の外観上の印象が煩雑になるのを解消でき、しかも、ストラップの装着紐などを簡便に連結できる浸透印を提供することにある。本発明の目的は、外観上のデザインの変更が自由できるにもかかわらず、製造に要するコストが従来の浸透印と同等程度で済み、さらに、浸透印の外観上のデザインをユーザーの好みに応じてユーザー自身が自由に選定し変更できる浸透印を提供することにある。
【課題を解決するための手段】
【０００９】
本発明の浸透印は、ケース構造１と、ケース構造１に組み付けられる印字ユニット２と、ケース構造１の頂部に設けられる連結体４とを備えている。連結体４は、ケース構造１に組み付けられる軸部３８と、軸部３８の上端周囲に張り出し形成される遮蔽部３９と、ストラップＳを装着するための連結部４１を備えている。連結部４１は、遮蔽部３９の内面ないし軸部３８に設けられて、ケース構造１および遮蔽部３９で遮蔽されている。連結体４は、ケース構造１に対して着脱可能に組み付ける。
【００１０】
ケース構造１の頂部にボウル状の導出部１９を凹み形成する。連結体４の遮蔽部３９と導出部１９との間に、ストラップＳをケース構造１の外へ導出するための導出隙間Ｅを、軸部３８の全周方向にわたって設ける。連結体４をケース構造１に組み付けた状態において、導出隙間Ｅに臨む連結部４１をケース構造１と遮蔽部３９とで遮蔽する。
【００１１】
ケース構造１は、基部ケース６と、基部ケース６に対して分離可能に連結される筒状の内ケース７と、内ケース７の外面を覆う状態で同ケース７に装着される筒構造の外ケース８とを含む。連結体４の軸部３８を内ケース７と外ケース８に設けた挿通穴１５、２１に差し込み装着し、軸部３８に設けた係合片４９を内ケース７に設けた係合部５０と係合することにより、連結体４を内ケース７に固定する。同時に外ケース８を連結体４で分離不能に固定保持する。
【００１２】
連結体４の軸部３８と外ケース８の挿通穴２１との間に、連結体４の組み付け状態を保持する係合リブ４４と係合凹部４６とを設ける。さらに、互いに係合して連結体４および外ケース８を同行回転可能に係合する連結突起４３と連結溝４５とを、連結体４の軸部３８と外ケース８の挿通穴２１との間に設ける。
【００１３】
ケース構造１は、基部ケース６と、基部ケース６に対して分離可能に連結される筒状の内ケース７と、内ケース７の外面を覆う状態で同ケース７に装着される筒構造の外ケース８とを含む。外ケース８と内ケース７との間に形成される周回状の装填スペース２２の内部にシート状の装飾体２５を配置する。外ケース８の全体を透明材で形成することにより、外ケース８を介して装飾体２５を視認できるようにする。
【００１４】
装飾体２５のイメージデータの一群は、浸透印を供給するメーカーのインターネット上のホームページに公開されている。ユーザーが前記ホームページに公開されたイメージデータの中から、好みのイメージデータをダウンロードして印刷することにより、ユーザー自身で装飾体２５を形成し交換できるようにする。
【発明の効果】
【００１５】
本発明では、ケース構造１と、印字ユニット２と、ケース構造１の頂部に設けられる連結体４などで浸透印を構成し、連結体４は、ケース構造１に組み付けられる軸部３８と、軸部３８の上端周囲に張り出し形成される遮蔽部３９と、ストラップＳを装着するための連結部４１などで構成し、ケース構造１に対して着脱できるようにした。また、連結部４１を遮蔽部３９の内面ないし軸部３８に設けて、連結体４をケース構造１に組み付けた状態において、連結部４１やストラップＳの連結紐４０が視認されるのを、ケース構造１および遮蔽部３９で遮蔽されるようにした。
【００１６】
上記のように構成した本発明の浸透印によれば、ストラップＳが装着された浸透印を見るとき、連結部４１や連結紐４０の取り付け部分が視認されるのをケース構造１および遮蔽部３９で遮ることができるので、見かけの印象が煩雑になるのを解消し、浸透印の外観上の印象をすっきりさせることができる。さらに、連結体４をケース構造１に対して着脱可能に組み付けるので、必要に応じて連結体４をケース構造１から取り外すことにより、ストラップＳを連結体４に対して簡便に連結でき、あるいはストラップＳの交換作業を手軽に行なえる。
【００１７】
ケース構造１の頂部にボウル状の導出部１９を凹み形成し、連結体４の遮蔽部３９と導出部１９との間に、ストラップＳをケース構造１の外へ導出する導出隙間Ｅを軸部３８の全周方向にわたって設ける浸透印によれば、使用者の好みに応じてストラップＳの導出方向を選択できる。また、導出部１９をボウル状に凹み形成することにより、導出隙間Ｅの隙間寸法を十分に確保できるので、連結体４をケース構造１に組み付けた状態のままであっても、連結紐４０を導出隙間Ｅに臨む連結部４１に取り付けることが可能となり、ストラップＳの取り付け作業の手間を省くことができる。さらに、余分な連結紐４０を導出隙間Ｅに臨む軸部３８に巻き付けてトラップＳの長さを調整するなどの調整も簡便に行なえる。導出隙間Ｅを設けているにもかかわらず、連結体４をケース構造１に組み付けた状態において、導出隙間Ｅに臨む連結部４１をケース構造１と遮蔽部３９とで遮蔽して視野を遮るので、連結部４１や連結紐４０の取り付け部分が外部から視認されるのを防止して、浸透印の外観上の印象をすっきりさせることができる。
【００１８】
基部ケース６、内ケース７、外ケース８などでケース構造１を構成し、連結体４の軸部３８に設けた係合片４９を内ケース７に設けた係合部５０と係合して連結体４を内ケース７に固定する浸透印によれば、連結体４を利用して外ケース８を内ケース７に分離不能に固定保持できる。したがって、外ケース８を内ケース７に固定するための構造を省略して、その分だけ内ケース７や外ケース８を成形するための金型構造を簡素化して、浸透印の製造コストを削減できる。また、連結体４を取り外すとき、外ケース８を内ケース７から同時に分離して、外ケース８の補修や交換を迅速に行なえる。
【００１９】
連結体４の軸部３８と外ケース８の挿通穴２１との間に、連結体４の組み付け状態を保持する係合リブ４４と係合凹部４６とを設けると、連結体４を内ケース７から取り外した状態において、連結体４と外ケース８とが不必要に分離するのを防止して、外ケース８と連結体４との組み付け状態を維持できる。連結体４と外ケース８を互いに逆向きに引っ張り操作して係合リブ４４と係合凹部４６の係合状態を解除すると、連結体４を外ケース８から分離できるので、その連結部４１に固縛した連結紐４０の解離や、ストラップＳの交換などを容易に行なえる。また、連結体４の軸部３８と外ケース８の挿通穴２１との間に、互いに係合して連結体４および外ケース８を同行回転可能に係合する連結突起４３と連結溝４５とを設けると、外ケース８を回転操作することで連結体４を同行回転させて、係合片４９と係合部５０を係合し、あるいは両者の係合状態を解除できる。つまり、連結体４に比べて握りやすく操作しやすい外ケース８を回転操作して、連結体４と内ケース７とを確実にしかも容易に係合連結し、あるいは両者の係合状態を解除できる。
【００２０】
基部ケース６と、内ケース７と、透明な外ケース８などでケース構造１を構成し、外ケース８と内ケース７との間に形成される周回状の装填スペース２２の内部にシート状の装飾体２５を配置する浸透印によれば、外ケース８を取り外すことにより、先の装填スペース２２に装着した装飾体２５の交換をユーザー自身で自由に行なえる。したがって、ユーザーは自分の好みに応じた装飾体２５を装填スペース２２に装着して使用でき、従来の浸透印に比べて外観上の印象を多様に変更できるうえ、個性に富む浸透印が得られる。
【００２１】
装飾体２５のイメージデータの一群を、浸透印を供給するメーカーのインターネット上のホームページに公開しておき、ユーザーがホームページ上のイメージデータの中から好みのイメージデータをダウンロードして印刷できるようにした装飾体２５の供給形態によれば、ユーザー自身が選定した好みの装飾体２５を形成して交換できるので、浸透印の外観上のデザインの変更を自由に行なえるにもかかわらず、装飾体２５の在庫負担を皆無にして、浸透印の製造に要するコストを従来の浸透印と同等程度に抑止できる。
【発明を実施するための最良の形態】
【００２２】
（実施例）  図１ないし図１１は本発明に係る浸透印をネーム印に適用した実施例を示す。図２においてネーム印は、グリップとして機能するケース構造１と、ケース構造１に組み付けられる印字ユニット２と、印字ユニット２の印面を覆う印面キャップ３と、ケース構造１の頂部に設けられる連結体４などで構成する。連結体４はストラップＳを装着するために設けてある。
【００２３】
図１および図３においてケース構造１は、下端の基部ケース６と、基部ケース６に対して分離可能に係合装着される内ケース７と、内ケース７に対して着脱可能に装着される筒構造の外ケース８とで構成する。最外面に位置する外ケース８はグリップを兼ねている。基部ケース６は多段筒状に形成されて上下面が開口してあり、下側の小径筒の内部に印字ユニット２が下面側から圧嵌装着される。基部ケース６の上側の大径筒の内部には、内ケース７の下端が分離可能に圧嵌装着される。
【００２４】
内ケース７は丸筒状に形成してあり、その周面下部にフランジ壁１１を張り出し、フランジ壁１１の下方の筒壁に周回状の係合リブ１２と、位置決め突起１３（図３参照）とが一体に形成してある。内ケース７の上壁内面には下向きに延びるボス１４が形成してあり、ボス１４の中央に後述する軸部３８用の挿通穴１５が上下貫通状に形成してある。挿通穴１５の対向周面には、上下方向に連続する一対の組付溝１６が凹み形成してあり、これにより挿通穴１５の断面は鍵穴状に形成される。
【００２５】
外ケース８は下端が開口する丸筒状のプラスチック成形品からなり、上半部の周面が他の周面部分より膨らませてあって、上端へ向かって上すぼまりとなる外形に形成してある。外ケース８の頂部には、ボウル状の導出部１９が部分球面状に凹み形成され、その中央部分の内面に下向きのボス２０を形成し、ボス２０の内面に後述する軸部３８用の挿通穴２１が上下貫通状に形成してある。外ケース８は全体が透明なプラスチック材、例えばアクリル樹脂で形成してあって、ケース内部を視認できる。外ケース８の筒内面の直径は、内ケース７に設けたフランジ壁１１の直径に僅かな余裕寸法を加えた値に設定してあり、したがって、外ケース８を内ケース７に組み付けた状態においては、図１に示すように両ケース７・８の間にフランジ壁１１の張り出し寸法に等しい装填スペース２２が形成される。
【００２６】
ネーム印の外観上のデザインを多様化するために、先の装填スペース２２に装飾体２５を配置している。図５に示すように装飾体２５は、装填スペース２２の上下寸法と装填スペース２２の周回寸法を縦横寸法とする紙片からなり、そのシート面には絵、模様、写真、文字などが印刷してある。
【００２７】
装飾体２５に印刷されるイメージデータの一群は、ネーム印を供給するメーカーのインターネット上のホームページに公開しておく。ホームページに公開されたイメージデータは、自然の風景、人物、動物、乗物、建物などの写真、あるいはイラストなど多種多様に用意してある。したがって、ユーザーは先のホームページ上のイメージデータの中から、好みのデザインをコンピューターにダウンロードしてプリンターで印刷したのち、印刷された部分を切り取ることによりユーザー自身で装飾体２５を形成することができる。また、ユーザーが撮影した写真や、ユーザーが作成したイラストをプリントして所定形状に切り抜くことにより、オリジナルの装飾体２５を形成してもよい。
【００２８】
上記のように、ユーザー自身が装飾体２５を作成して使用するネーム印の流通形態によれば、印刷された多種類の装飾体２５をメーカー側で在庫する必要がないので、在庫負担を皆無にできる。一方で、ユーザーはホームページに蓄積された多種類のイメージデーターや、ユーザーが撮影した写真などから好みのデザインを選定できるので、装飾体２５のデザインに関して満足感が得られる。また、装飾体２５のデザインに飽きを感じた場合には、新たな装飾体２５と取り替えることにより、あたかも着せ替えを行ったかのように、ネーム印の見かけの印象を大きく換えることができる。なお、装飾体２５を形成するシート材としては、紙以外に布、プラスチックシート、金属シートなどであってもよい。
【００２９】
図４において、印字ユニット２は、多段筒状に形成されるホルダー２８と、ホルダー下半部に設けたソケット２９の内部に嵌め込み装着されるゴム印字体３０、およびインク吸蔵体３１と、ソケット部２９に装着されてゴム印字体３０の脱落を防ぐ印面金具３２と、ホルダー２８の上端のインク補充口３３を塞ぐ栓体３４とで構成してある。ゴム印字体３０の印面には、個人名、確認、検、済などの文字が鏡文字で形成してある。
【００３０】
インク吸蔵体３１に滴下されたインクの含浸状況を視認しながらインク補充を的確に行うために、ホルダー２８のインク吸蔵体３１の上面からインク補充口３３の開口面までの上下寸法を、従来のホルダーに比べてできるだけ小さくしている。また、栓体３４をインク補充口３３にねじ３４ａ・３３ａ（図４参照）を介して装着することにより、両者３３・３４の間からインクが漏れ出るのを防止できるようにしている。ホルダー２８は、基部ケース６に対してケース下面側から圧嵌係合することにより一体化されており、この組み付け状態においてホルダー２８の下部周面に設けた周回リブ３６が、基部ケース６の内周面に設けた係合リブ３５で抜止されている。印面キャップ３は、基部ケース６に対して着脱可能に圧嵌装着されて、ゴム印字体３０の印面を保護し、同時に異物が印面に付着するのを防止する。なお、インクを補充する場合には、印字ユニット２の全体を基部ケース６の下方へ抜き出し操作して、ケース構造１から分離する。
【００３１】
連結体４は外ケース８と一体化した状態で内ケース７に組み付けられる。図３、および図５〜図７に示すように、連結体４は、丸軸からなる軸部３８と、軸部３８の上端に張り出し形成される遮蔽部３９とを一体に備えている。軸部３８の上端には、ストラップＳの連結紐４０を装着するための連結穴（連結部）４１が、軸部３８を径方向へ貫通する状態で形成してある。遮蔽部３９は、上面および下面を外突状に湾曲させて凸レンズ状に形成してある。連結紐４０の組み付けを容易化するために、連結穴４１は横長長円状に形成してある。
【００３２】
連結体４と外ケース８を、軸方向および周方向への相対移動を規制した状態で一体操作するために、連結穴４１に隣接する軸部３８の対向周面にＴ字状の連結突起４３を形成し、さらに連結突起４３と位相角度が９０度ずれた軸部３８の対向周面に係合リブ４４を形成している。また、外ケース８の挿通穴２１の対向周面に、連結突起４３と同形の連結溝４５を凹み形成し、連結溝４５と位相角度が９０度ずれた挿通穴２１の対向周面に、係合リブ４４と係合する係合凹部４６を形成している。
【００３３】
連結体４の軸部３８を外ケース８の挿通穴２１に差し込んで、係合リブ４４を係合凹部４６に圧嵌係合した状態においては、図８に示すように、連結突起４３が連結溝４５と係合して、連結体４と外ケース８の周方向の相対移動を規制する。同時に連結突起４３の周方向両端の翼片４３ａが連結溝４５の周方向両端の段部４５ａと接当して、連結体４と外ケース８の軸方向の相対移動を規制する（図１０参照）。この連結状態において、遮蔽部３９は導出部１９に対して導出隙間Ｅ（図１参照）を介して対向している。軸部３８の連結穴４０に結び付けられたストラップＳの連結紐４０は、導出隙間Ｅから外ケース８の外へと導出される（図６参照）。
【００３４】
連結体４は内ケース７に対して着脱可能に連結され、連結体４を内ケース７に連結固定することで外ケース８を同時に内ケース７に固定する。図６および図７に示すように、連結体４を内ケース７に連結するための連結構造は、軸部４０の下端周面の対向位置に突設される五角形状の係合片４９と、内ケース７のボス１４の下端面に形成される２組の係合部５０とで構成する。係合部５０は、内ケース７の組付溝１６の下端に連続するガイド面５１に隣接して上向きに凹み形成してある。
【００３５】
係合片４９が組付溝１６に嵌まり込む状態で、連結体４の軸部３８を内ケース７の挿通穴１５に挿通することにより、係合リブ４４と係合凹部４６とが圧嵌係合され、さらに連結突起４３と連結溝４５とが係合する。この状態のままで外ケース８を時計回転方向へ回転操作することにより、図１１（ａ）に示すように係合片４９の上隅部がガイド面５１に案内されて係合部５０に落ち込み係合する。この係合状態では、係合片４９の一方の周側端面４９ａが係合部５０に連続する縦壁５０ａで受け止められるので、それ以上連結体４を回動することはできない。
【００３６】
上記の状態から外ケース８を反時計回転方向へ回転操作すると、係合片４９の三角形状の上隅部分がガイド面５１に乗りあがり、やがて係合片４９の他方の周側端面４９ｂが組付溝１６の溝側面で受け止められるので、連結体４を組付溝１６に沿って抜き出し操作することにより、連結体４および外ケース８を内ケース７から取り外すことができる。この状態で、装飾体２５を外ケース８の筒壁内面に交換装着することができる。また、導出隙間Ｅの間に指先を差し込んで遮蔽部３９を掴んだ状態で抜き出し操作することにより、係合リブ４４と係合凹部４６の係合状態を解除して、連結体４を外ケース８から分離できる。この状態で、連結紐４０を連結穴４１から取り外してストラップＳを交換できる。なお、最初にストラップＳを装着する場合には、連結体４を内ケース７に装着した状態のままで、その連結紐４０を連結穴４１に組み付けることができる。その場合の導出部１９は、連結紐４０の差込先端を連結穴４１へ移行案内するガイド体として機能する。
【００３７】
以上のように構成したネーム印によれば、ストラップＳを連結体４の連結穴４１に組み付けた状態において、連結紐４０と連結穴４１の上面全体を遮蔽部３９で覆い隠し、さらに導出部１９の開口縁で視野を遮ることができるので、ストラップＳの連結構造を設けることによってネーム印の外観上の印象が煩雑になるのを解消できる。
【００３８】
図１２は連結体４の別の実施例を示す。そこでは、連結穴４１と交差するビス挿通穴５５を連結体４の軸心に沿って設け、ビス挿通穴５５に挿通したビス５６を内ケース７にねじ込むことにより、連結体４と外ケース８を内ケース７に締結固定できるようにした。この場合には、ビス５６を取り外すことで、連結体４と外ケース８を内ケース７から分離できる。符号５７はビス挿通穴５５の開口面を塞ぐキャップであり、必要に応じて取り外すことができる。他は先の実施例と同じであるので、同じ部材に同じ符号を付してその説明を省略する。以下の実施例においても同様に扱う。なお、ビス５６にディスタンスカラーを外嵌した状態で、連結体４をビス５６で内ケース７に締結するように構造を変更すると、連結体４をディスタンスカラーの回りに回転自在に支持することができる。
【００３９】
図１３は連結体４のさらに別の実施例を示す。そこでは、軸部３８と遮蔽部３９との２部品で連結体４を構成し、遮蔽部３９と軸部３８をビス５８で締結して一体化した。軸部３８には、先の実施例と同様に連結突起４３、係合リブ４４、および係合片４９が一体に形成してある。遮蔽部３９の内部には連結穴４１が形成してあり、この連結穴４１を縦通するビス５８に連結紐４０が係止される。連結穴４１の周囲壁には導出溝５９が放射状に形成してあり、この導出溝５９を介して連結紐４０が外部に導出される。この実施例における連結体４は、ボルト５７を取り外して遮蔽部３９を軸部３８から分離することにより、ストラップＳの交換を行なうことができる。
【００４０】
上記の実施例以外に、連結部４１は軸部３８を貫通する穴構造である必要はなく、軸部３８に形成される溝や、遮蔽部３９の下面側に形成される突起などで形成することができる。装飾体２５を備えていない浸透印においては、外ケース８を省略することができ、その場合には内ケース７の外面を基部ケース６の外面に連続させて、内ケース７がグリップを兼ねるようにするとよい。外ケース８は全体が透明である必要はなく、その一部が不透明であってもよい。
【図面の簡単な説明】
【００４１】
【図１】ネーム印の縦断正面図である。
【図２】キャップを分離した状態のネーム印の斜視図である。
【図３】ネーム印の分解斜視図である。
【図４】印字ユニットの断面図である。
【図５】ケース構造を示す一部破断正面図である。
【図６】図１におけるＡ−Ａ線断面図である。
【図７】連結体の組み付け途中状態を示す縦断正面図である。
【図８】図６におけるＢ−Ｂ線断面図である。
【図９】図６におけるＣ−Ｃ線断面図である。
【図１０】図８におけるＤ−Ｄ線断面図である。
【図１１】連結体と内ケースの係合構造を示す断面図である。
【図１２】連結体の別実施例を示す断面図である。
【図１３】連結体のさらに別の実施例を示す断面図である。
【符号の説明】
【００４２】
１  ケース構造
２  印字ユニット
４  連結体
６  基部ケース
７  内ケース
８  外ケース
１５・２１  挿通穴
１９  導出部
２５  装飾体
３８  軸部
３９  遮蔽部
４１  連結部
４３  連結突起
４４  係合リブ
４５  連結溝
４６  係合凹部
４９  係合片
５０  係合部
Ｅ  導出隙間
Ｓ  ストラップ
【図１】
2009148957.tif 000003
【図２】
2009148957.tif 000004
【図３】
2009148957.tif 000005
【図４】
2009148957.tif 000006
【図５】
2009148957.tif 000007
【図６】
2009148957.tif 000008
【図７】
2009148957.tif 000009
【図８】
2009148957.tif 000010
【図９】
2009148957.tif 000011
【図１０】
2009148957.tif 000012
【図１１】
2009148957.tif 000013
【図１２】
2009148957.tif 000014
【図１３】
2009148957.tif 000015